(57)【要約】【課題】接続された機器を判別して電源のオン／オフを自動的かつ適切に行い、ユーザーにとって使い勝手がよい電子機器を提供する。【解決手段】電子機器１は、他の機器６０、Ｃａと接続可能な接続端子３９と、接続端子３９に接続された他の機器６０、Ｃａに応じて、自機の電源をオン状態とするかオフ状態とするかを決定して、電源のオン／オフを制御する制御手段２２とを備える。【選択図】図６
2015167449.tif 000002
【特許請求の範囲】
【請求項１】
他の機器と接続可能な接続端子と、
前記接続端子に接続された前記他の機器に応じて、自機の電源をオン状態とするかオフ状態とするかを決定して、前記電源のオン／オフを制御する制御手段と、
を備えることを特徴とする電子機器。
【請求項２】
前記制御手段は、
前記接続端子に接続することが可能な前記他の機器の識別情報と、前記接続端子に当該他の機器が接続された際に自機の前記電源をオン状態またはオフ状態とすることとを対応付ける対応関係の情報を予め備えており、
前記他の機器が前記接続端子に接続された際に当該他の機器の前記識別情報を取得すると、前記対応関係の情報に基づいて、自機の前記電源をオン状態とし、またはオフ状態とするように制御することを特徴とする請求項１に記載の電子機器。
【請求項３】
前記接続端子と前記他の機器とが接続される際の接続の仕方が、接続前記接続端子と接続可能な前記他の機器の間で異なる仕方になるように構成されており、
前記制御手段は、前記他の機器が前記接続端子に接続された際の前記接続の仕方に基づいて、自機の前記電源をオン状態とし、またはオフ状態とするように制御することを特徴とする請求項１に記載の電子機器。
【請求項４】
前記制御手段は、前記他の機器が前記接続端子に接続される直前の前記電源の状態を記憶し、前記他の機器の前記接続端子への接続が解除されると、前記電源の状態を、前記他の機器が前記接続端子に接続される直前の前記電源の状態に戻すことを特徴とする請求項１から請求項３のいずれか一項に記載の電子機器。
【請求項５】
前記他の機器は、自機のバッテリーの充電に用いられる機器であることを特徴とする請求項１から請求項４のいずれか一項に記載の電子機器。
【請求項６】
前記制御手段は、
前記接続端子に接続することが可能な前記他の機器から供給される充電電源電圧と、前記接続端子に当該他の機器が接続された際に自機の前記電源をオン状態またはオフ状態とすることとを対応付ける対応関係の情報を予め備えており、
前記他の機器が前記接続端子に接続されて前記充電電源電圧が供給されると、前記対応関係の情報に基づいて、自機の前記電源をオン状態とし、またはオフ状態とするように制御することを特徴とする請求項５に記載の電子機器。
【請求項７】
前記制御手段は、前記バッテリーの充電の状況を検出し、前記バッテリーの充電に異常が生じた場合には、自機の前記電源をオフ状態とすることを特徴とする請求項５または請求項６に記載の電子機器。
【請求項８】
前記電子機器は、放射線画像撮影装置であることを特徴とする請求項１から請求項７のいずれか一項に記載の電子機器。
【請求項９】
前記制御手段は、
前記接続端子に接続された前記他の機器がクレードルである場合には、自機の前記電源をオフ状態とし、
前記接続端子に接続された前記他の機器がケーブルである場合には、自機の前記電源をオン状態とすることを特徴とする請求項８に記載の電子機器。
【発明の詳細な説明】
【技術分野】
【０００１】
本発明は、電子機器に係り、特に他の装置と接続可能な電子機器に関する。
【背景技術】
【０００２】
例えば、映像や画像等のデータをパーソナルコンピューターから入手して画面に映像等を表示する映像表示装置の中には、ケーブルを介してパーソナルコンピューターに接続されると、自動的に自己の電源をオン状態にしてデータの入手動作等や映像の表示動作等を行うように構成されている装置がある。
【０００３】
また、例えば、携帯情報端末やコードレス電話等では、携帯情報端末等を充電用のホルダーにセットすると、携帯情報端末等が自動的に自己の電源をオフ状態にして、充電装置から供給される電力でバッテリーの充電を行うように構成されることが多い（例えば特許文献１等参照）。
【０００４】
このように、電子機器の中には、他の特定の機器に接続されると自動的に自己の電源をオン状態にしたりオフ状態にしたりするように構成されているものが少なくない。
【０００５】
一方、フラットパネルディテクター（Flat Panel Detector：ＦＰＤ）として知られ、放射線照射装置から被写体を介して照射された放射線を検出して被写体の放射線画像を撮影する放射線画像撮影装置の場合、例えば特許文献２等に記載されているように、放射線画像撮影装置をクレードルに装填したり、或いは、放射線画像撮影装置のコネクターにケーブルを接続する等して、放射線画像撮影装置に内蔵されているバッテリーを充電するように構成される場合がある。
【先行技術文献】
【特許文献】
【０００６】
【特許文献１】特開２００３−８７９８６号公報
【特許文献２】国際公開第２０１０／１０９９８４号パンフレット
【発明の概要】
【発明が解決しようとする課題】
【０００７】
ところで、放射線画像撮影装置の場合、クレードルに装填して充電する場合には、当該放射線画像撮影装置は少なくとも充電中は撮影に用いられないため、通常、電源がオフ状態とされた状態でクレードルに装填されてバッテリーが充電される。
【０００８】
このような場合に、上記の映像表示装置のように、他の機器（映像表示装置の場合はパーソナルコンピューター、放射線画像撮影装置の場合はクレードル）に接続されると自動的に自己（映像表示装置や放射線画像撮影装置）の電源をオン状態にしてしまうと、放射線画像撮影装置が撮影に用いられないにもかかわらず電源がオン状態になってしまい、バッテリーの電力を無駄に消費してしまうことになる。そして、それを防止するためには、ユーザーがクレードルに装填された放射線画像撮影装置の電源をオフ状態にしなければならず、放射線画像撮影装置がユーザーにとって使い勝手が悪いものとなる。
【０００９】
一方、例えば放射線画像撮影装置をブッキー撮影台に装填するような場合、放射線画像撮影装置のコネクターにブッキー撮影台のケーブルが接続される。そして、ケーブルを介して放射線画像撮影装置と外部装置との間でデータや信号等のやり取りが行われるが、それとともに、ケーブルを介して放射線画像撮影装置に電力が供給されて、バッテリーの充電が行われる場合もある。この場合、撮影と次に撮影の間等に放射線画像撮影装置のバッテリーが充電されるため、放射線画像撮影装置の電源をオフ状態とせずオン状態のまま充電が行われる場合が多い。
【００１０】
このような場合に、上記の携帯情報端末やコードレス電話等のように、他の機器（コードレス電話等の場合はホルダー、放射線画像撮影装置の場合はケーブル）に接続されると自動的に自己（コードレス電話等や放射線画像撮影装置）の電源をオフ状態にしてしまうと、放射線画像撮影装置を用いて撮影を行う際にユーザーがいちいち電源をオン状態にしなければならなくなり、やはり放射線画像撮影装置がユーザーにとって使い勝手が悪いものとなる。
【００１１】
上記のように、放射線画像撮影装置のような電子機器の場合には、上記の映像表示装置やコードレス電話等の場合のように、他の機器に接続されると電源をオン状態にすること、或いは電源をオフ状態にすることが決まっていると、電源をオン状態やオフ状態にしない方がよい場面で電源が自動的にオン状態やオフ状態になってしまい、放射線技師等のユーザーにとって放射線画像撮影装置の電源が思うようにオン／オフされない状態になってしまう場合が生じ得る。
【００１２】
また、このような現象は放射線画像撮影装置の場合に限らず、例えば、内蔵や子宮内等の状態を超音波撮影する無線型の超音波診断装置等の医療機器等でも生じ得る。すなわち、例えば、無線型の超音波診断装置では、外部装置との間のデータや信号等のやり取りは無線で行われるが、装置を充電する場合には、装置をクレードル等の充電装置に装填したりケーブルを接続したりして行われる。
【００１３】
そして、放射線画像撮影装置と同様に、超音波診断装置をクレードル等の充電装置に装填して充電を行う場合には少なくとも充電中はその装置を用いて超音波撮影が行われることがないため、超音波診断装置の電源はオフ状態とされる。また、超音波診断装置にケーブルを接続して充電を行う場合には、ケーブルを接続した超音波診断装置を用いて超音波撮影が行われる可能性があるため、電源はオン状態のまま充電が行われる。そのため、上記の放射線画像撮影装置の場合と同様の問題が生じ得る。
【００１４】
本発明は、上記の点を鑑みてなされたものであり、接続された機器を判別して電源のオン／オフを自動的かつ適切に行い、ユーザーにとって使い勝手がよい電子機器を提供することを目的とする。
【課題を解決するための手段】
【００１５】
前記の問題を解決するために、本発明の電子機器は、
他の機器と接続可能な接続端子と、
前記接続端子に接続された前記他の機器に応じて、自機の電源をオン状態とするかオフ状態とするかを決定して、前記電源のオン／オフを制御する制御手段と、
を備えることを特徴とする。
【発明の効果】
【００１６】
本発明のような方式の電子機器によれば、電子機器の電源のオン／オフを自動的かつ適切に行い、電子機器をユーザーにとって使い勝手がよいものとすることが可能となる。
【図面の簡単な説明】
【００１７】
【図１】電子機器の例としての放射線画像撮影装置の外観を示す斜視図である。
【図２】図１のＸ−Ｘ線に沿う断面図である。
【図３】クレードルに放射線画像撮影装置が装填された状態を表す斜視図である。
【図４】クレードルの内部構成等を模式的に表し、クレードルに放射線画像撮影装置を装填した状態を表す図である。
【図５】放射線画像撮影装置にケーブルを接続した状態を表す斜視図である。
【図６】放射線画像撮影装置の内部構成等を説明するブロック図である。
【図７】他の機器の識別情報と自機の電源のオン／オフとを対応付けるテーブルの例を表す図である。
【図８】（Ａ）クレードルやケーブルのコネクターの構成例を表す図であり、（Ｂ）放射線画像撮影装置のコネクターの構成例を表す図である。
【図９】図６の放射線画像撮影装置の内部構成等の変形例を説明するブロック図である。
【発明を実施するための形態】
【００１８】
以下、本発明に係る電子機器の実施の形態について、図面を参照して説明する。なお、以下では、電子機器が放射線画像撮影装置（ＦＰＤ）である場合について説明するが、本発明は、上記のように電子機器が無線型の超音波診断装置等である場合にも適用することが可能であり、以下で説明する、電子機器が放射線画像撮影装置である形態に限定されない。
【００１９】
［電子機器の例としての放射線画像撮影装置の構成例について］
以下、本実施形態に係る電子機器の例としての放射線画像撮影装置の構成例について簡単に説明する。図１は、放射線画像撮影装置の外観を示す斜視図であり、図２は、図１のＸ−Ｘ線に沿う断面図である。
【００２０】
図１や図２に示すように、放射線画像撮影装置１の筐体２は、放射線が入射する側の面である放射線入射面Ｒを有し、中空の角筒状のハウジング本体部２Ａの両側の開口部を蓋部材２Ｂ、２Ｃで閉塞することで形成されている。そして、筐体２の一方側の蓋部材２Ｂには、電源スイッチ３７や切替スイッチ３８、コネクター３９、バッテリー２４（図２や後述する図６等参照）の状態や放射線画像撮影装置１の稼働状態等を表示するＬＥＤ等で構成されたインジケーター４０等が配置されている。なお、本実施形態では、コネクター３９が他の機器と接続可能な接続端子に相当する。
【００２１】
なお、バッテリー２４としては、例えばリチウムイオンキャパシターや電気二重層キャパシター等の蓄電デバイスや、リチウムイオンバッテリー等のバッテリー、或いは二次電池等を用いることが可能である。
【００２２】
図２に示すように、筐体２内には、基台３１が配置されており、基台３１の放射線入射面Ｒ側（以下、簡単に図中の上下方向にあわせて上面側等という。）に図示しない鉛の薄板等を介してセンサー基板４が設けられている。なお、図示を省略するが、センサー基板４の放射線入射面Ｒ側の面上には、入射した放射線を（なお、この構成例では正確には入射した放射線が後述するシンチレーター３で光に変換され、その変換された光を）電気信号に変換するフォトダイオード等の放射線検出素子が二次元状（マトリクス状）に配列されている。そして、センサー基板４の上面側、すなわち放射線検出素子が二次元状に配列された側に、照射された放射線を可視光等の光に変換するシンチレーター３が配置されるように、シンチレーター基板３４が配置されている。
【００２３】
また、基台３１の下面側には、電子部品３２等が配設されたＰＣＢ基板３３やバッテリー２４等が取り付けられている。このようにして、基台３１やセンサー基板４等でセンサーパネルＳＰが形成されている。また、本実施形態では、センサーパネルＳＰと筐体２の側面との間に緩衝材３５が設けられている。
【００２４】
次に、放射線画像撮影装置１のコネクター３９に接続され得る他の機器として、クレードルやケーブルについて説明する。
【００２５】
［クレードルの構成例について］
図３は、クレードル６０に放射線画像撮影装置１が装填された状態を表す斜視図である。また、図４は、クレードル６０の内部構成を模式的に表す図であり、クレードル６０に放射線画像撮影装置１を装填した状態を表している。図３に示すように、クレードル６０は、上面に開口部６１ａを有する筐体６１と、この筐体６１の開口部６１ａを被覆する被覆部材６２とを備えている。また、筐体６１の一端部には、クレードル６０を動作させる各種のスイッチ６３が設けられている。
【００２６】
図４に示すように、筐体６１の内部には、筐体６１の長手方向に延在し、放射線画像撮影装置１を鉛直方向に収容する装置収容部６４が設けられている。また、筐体６１には基板６５上に配置された各種電子部品６６が収納されている。電子部品６６には、例えば、放射線画像撮影装置１のバッテリー２４（図２参照）の充電に用いられ、外部の交流電源から供給された交流電圧を直流電圧に変換するＡＣ／ＤＣコンバーターや、放射線画像撮影装置１に定電流を供給する定電流回路等が含まれる。
【００２７】
また、装置収容部６４は、装置収容部６４の側壁を構成する前側壁部材６７と奥側壁部材６８とを備えている。前側壁部材６７の上端部と奥側壁部材６８の上端部とによって放射線画像撮影装置１が装填される挿入口が形成されている。放射線画像撮影装置１は、この挿入口から前側壁部材６７と奥側壁部材６８の間に装填される。前側壁部材６７の内側部には、放射線画像撮影装置１を装置収容部６４内部に案内する案内部材６７ａが取り付けられている。奥側壁部材６８の内側面には、緩衝部材６８ａが長手方向の全面に亘って設けられている。
【００２８】
装置収容部６４は、その厚み方向の内寸法が放射線画像撮影装置１の厚み方向の外寸法に合わせた寸法となっている。また、装置収容部６４内の挿入口付近には、挿入口から装填された放射線画像撮影装置１を一時的に保持する装置保持手段７０が配置されている。装置収容部６４内の底部には、放射線画像撮影装置１側のコネクター３９と接続可能なクレードル６０側のコネクター７１が配置されている。クレードル６０側のコネクター７１は、前述した電子部品６６に接続されている。
【００２９】
本実施形態では、図４に示すように、放射線画像撮影装置１がクレードル６０に装填されると、装置収容部６４内に収容された放射線画像撮影装置１のコネクター３９が、クレードル６０側のコネクター７１に自動的に接続されるようになっている。
【００３０】
また、本実施形態では、クレードル６０は、放射線画像撮影装置１のコネクター３９と自らのコネクター７１とが接続されると、自動的に、或いは放射線画像撮影装置１側から通知要求に応じて、自らの識別情報であるクレードルＩＤを放射線画像撮影装置１に通知するようになっている。
【００３１】
［ケーブルの構成例について］
一方、例えば図５に示すように、放射線画像撮影装置１のコネクター３９にケーブルＣａのコネクターＣを接続することで、放射線画像撮影装置１にケーブルＣａを接続することができるようになっている。
【００３２】
そして、本実施形態では、ケーブルＣａも、放射線画像撮影装置１のコネクター３９と自らのコネクターＣとが接続されると、自動的に、或いは放射線画像撮影装置１側から通知要求に応じて、自らの識別情報であるケーブルＩＤを放射線画像撮影装置１に通知するようになっている。
【００３３】
なお、放射線画像撮影装置１にケーブルＣａが接続されるケースとしては、前述したように、放射線画像撮影装置１を図示しないブッキー撮影台に装填して撮影に用いる場合のほか、放射線画像撮影装置１をブッキー撮影台に装填せず、例えば患者の身体にあてがったり患者とベッドとの間等に差し込む等して、放射線画像撮影装置１をブッキー撮影台に装填しないいわば単独の状態で撮影に用いる場合等にも、放射線画像撮影装置１にケーブルＣａが接続される場合がある。なお、放射線画像撮影装置１を単独の状態で使用する場合には、放射線画像撮影装置１にケーブルＣａを接続しない状態で使用することも可能である。
【００３４】
［放射線画像撮影装置の内部構成等について］
次に、放射線画像撮影装置１の内部構成、特にバッテリー２４の充電に関連する構成等について説明する。図６は、放射線画像撮影装置の内部構成等を説明するブロック図である。
【００３５】
放射線画像撮影装置１内には、前述したセンサーパネルＳＰや、センサーパネルＳＰ上や放射線画像撮影装置１内に設けられた各機能部の動作等を制御する制御手段２２が設けられている。なお、制御手段２２は、図示しないＣＰＵ（Central Processing Unit）やＲＯＭ（Read Only Memory）、ＲＡＭ（Random Access Memory）、入出力インターフェース等がバスに接続されたコンピューターや、ＦＰＧＡ（Field Programmable Gate Array）等により構成されている。専用の制御回路で構成されていてもよい。また、制御手段２２には、図示しない記憶手段等の適宜の装置や回路等が接続されている。
【００３６】
また、本実施形態では、制御手段２２は、放射線画像撮影装置１のコネクター３９に接続されており、前述したように、放射線画像撮影装置１がクレードル６０に装填されたり、放射線画像撮影装置１のコネクター３９にケーブルＣａが接続されて、クレードル６０やケーブルＣａから識別情報であるクレードルＩＤやケーブルＩＤがコネクター３９を介して入力されると、それらの情報が制御手段２２に入力されるようになっている。
【００３７】
一方、コネクター３９からバッテリー２４に至る充電用の電力供給経路３０上には、バッテリー２４の充電を行うための充電回路２５が設けられている。そして、充電回路２５は、放射線画像撮影装置１のコネクター３９に接続されたクレードル６０のコネクター７１やケーブルＣａのコネクターＣを介して充電用の電力が供給されるようになっており、それに基づいて充電回路２５からバッテリー２４に電力が供給されてバッテリー２４の充電が行われるようになっている。
【００３８】
そして、バッテリー２４から制御手段２２等の各機能部に必要な電力が供給されるようになっている。なお、図示を省略するが、充電回路２５とコネクター３９との間に、例えば充電回路２５側からコネクター３９側に電流が逆流しないようにするための逆流防止回路等を設けたり、バッテリー２４の電圧を検出する電圧検出手段等を設けることも可能である。
【００３９】
［本発明に特有の構成等について］
次に、本発明に特有の構成等について説明する。また、本実施形態に係る電子機器である放射線画像撮影装置１の作用についてもあわせて説明する。
【００４０】
前述したように、電子機器が放射線画像撮影装置１である場合、放射線画像撮影装置１をクレードル６０に装填してバッテリー２４の充電を行っている最中には当該放射線画像撮影装置１は撮影には使用されない。そのため、放射線画像撮影装置１の電源をオン状態にして無駄に電力が消費されることを防止するために、クレードル６０に装填して充電する場合には放射線画像撮影装置１の電源はオフ状態とすることが望ましい。
【００４１】
また、放射線画像撮影装置１をブッキー撮影台に装填したり、或いは、ブッキー撮影台には装填せずに単独の状態で使用する際に、放射線画像撮影装置１のコネクター３９にケーブルＣａのコネクターＣ（図５や図６参照）が接続される場合、その状態で放射線画像撮影装置１のバッテリー２４を充電しながら撮影を行ったり、ケーブルＣａを介して放射線画像撮影装置１と外部装置との間でデータや信号等のやり取りを行いながら撮影を行うと考えられる。そのため、この場合は、放射線画像撮影装置１の電源はオン状態とすることが望ましい。
【００４２】
このように、放射線画像撮影装置１のコネクター３９に接続される相手が何であるか（クレードル６０であるかケーブルＣａであるか）によって、放射線画像撮影装置１の電源をオン状態とした方がよいのかオフ状態とした方がよいのかが変わる。
【００４３】
そこで、本発明に係る放射線画像撮影装置１（すなわち電子機器）の制御手段２２は、接続端子であるコネクター３９に他の機器が接続されると、コネクター３９に接続された他の機器に応じて、自機（すなわち放射線画像撮影装置１（すなわち電子機器））の電源をオン状態とするかオフ状態とするかを決定し、電源を決定した状態になるように制御するように構成されている。
【００４４】
すなわち、上記の場合には、放射線画像撮影装置１の制御手段２２は、放射線画像撮影装置１のコネクター３９に他の機器が接続された際に送信されてくる識別情報（すなわちクレードルＩＤ或いはケーブルＩＤ）に基づいて、コネクター３９に接続された他の機器が何であるかを判別する。そして、コネクター３９に接続された他の機器がクレードル６０であると判別すると、放射線画像撮影装置１の電源がオン状態であればオフ状態とし、また、放射線画像撮影装置１の電源がすでにオフ状態になっていればそのままオフ状態とする。
【００４５】
また、放射線画像撮影装置１の制御手段２２は、放射線画像撮影装置１のコネクター３９に接続された他の機器がケーブルＣａであると判別すると、放射線画像撮影装置１の電源がオフ状態であればオン状態とし、また、放射線画像撮影装置１の電源がすでにオン状態になっていればそのままオン状態とするように構成されている。
【００４６】
つまり、前述した映像表示装置やコードレス電話等では、接続される他の機器がパーソナルコンピューターやホルダー等と決まっており、接続端子に他の機器が接続されると、一律に電源をオン状態としたり（映像表示装置等の場合）、一律に電源をオフ状態とする（コードレス電話等の場合）ことが決まっているのに対し、本発明の電子機器（例えば上記の放射線画像撮影装置１）では、接続端子（例えばコネクター３９）に接続された他の機器が何であるか（例えばクレードル６０であるかケーブルＣａ）であるかを判別し、判別した他の機器に応じて、電源をオン状態とするか、オフ状態とするかを決定する。
【００４７】
このように、本発明では、電子機器（例えば放射線画像撮影装置１）の制御手段２２が、接続端子３９に接続された他の機器が何であるかを判別し、接続された他の機器に応じて電源をオン状態とするかオフ状態とするかを決定し、それに基づいて電源のオン／オフを制御するため、電源のオン／オフを適切にかつ自動的に行うことが可能となる。
【００４８】
そして、放射線技師等のユーザーにとっては、自らが電子機器のオン／オフ操作を行わなくても、電子機器が自動的にかつ適切に行ってくれるため、電子機器を使用する場合には電子機器の電源が的確にオン状態となり、電子機器の使い勝手がよいものとなる。また、電子機器を使用せず、例えば充電のみ行う場合には、仮にユーザーが電子機器の電源をオフ状態にするのを忘れた場合でも、電子機器の電源が的確にオフ状態となり、無駄な電力が消費されることを的確に防止することが可能となる。そのため、この点でも、電子機器がユーザーにとって使い勝手がよいものとなる。
【００４９】
本実施形態では、電子機器である放射線画像撮影装置１の制御手段２２が、接続端子であるコネクター３９に接続された他の機器に応じて的確に電源のオン／オフ制御を行うために、制御手段２２は、コネクター３９に接続されることが可能な他の機器の識別情報と、コネクター３９に当該他の機器が接続された際に自機の電源をオン状態またはオフ状態とすることとを対応付ける対応関係の情報を、例えば図７に例示するようなテーブルＴ等の形で予めメモリーに記憶する等して有している。
【００５０】
そして、放射線画像撮影装置１の制御手段２２は、他の機器すなわちクレードル６０やケーブルＣａが放射線画像撮影装置１のコネクター３９に接続された際に、接続された他の機器の識別情報であるクレードルＩＤやケーブルＩＤを取得すると、上記の対応関係のテーブルＴを参照して、自機の電源をオン状態とし、或いはオフ状態とするように制御するように構成されている。
【００５１】
なお、図７に示したように、各識別情報ごとに電源のオン／オフを対応付けるように構成する代わりに、識別情報に基づいて他の機器が何であるか、すなわちクレードルであるかケーブルであるかを判別し、それに基づいて電源のオン／オフを制御するように構成することも可能である。
【００５２】
また、上記のように、接続された他の機器の識別情報に基づいて電源のオン／オフの制御を行う代わりに、例えば、本実施形態のように、他の機器が自機のバッテリー２４の充電に用いられる機器である場合には、他の機器から供給される充電電源電圧で他の機器が何であるかを判別したり、充電電源電圧に基づいて自機の電源のオン／オフの制御を行うように構成することも可能である。具体的には、例えば、自機が放射線画像撮影装置１であるような場合、放射線画像撮影装置１の充電専用のクレードル６０と、汎用のクレードル６０と、放射線画像撮影装置１のコネクター３９にケーブルＣａのコネクターＣを接続して充電を行う場合等で、それぞれ充電電源電圧が異なる場合がある。そこで、このような場合には、図示を省略するが、他の機器から供給される充電電源電圧と、コネクター３９に当該他の機器が接続された際に自機の電源をオン状態またはオフ状態とすることとを対応付ける対応関係の情報を例えばテーブル等の形で有しておき、それを参照して、他の機器が接続された場合の充電電源電圧に基づいて自機の電源のオン／オフの制御を行うように構成することができる。
【００５３】
また、上記のように、コネクター３９に接続された他の機器から送信された識別情報や充電電源電圧に基づいて接続された他の機器が何であるかを判別する代わりに、コネクター３９における物理的な接続の仕方を変えることで、コネクター３９に接続された他の機器が何であるかを判別するように構成することも可能である。
【００５４】
具体的には、放射線画像撮影装置１のコネクター３９に接続されるクレードル６０のコネクター７１やケーブルＣａのコネクターＣは、通常、例えば図８（Ａ）に示すように、所定本数のピンＰが突出されて並設された構成とされており、また、例えば、各ピンＰの両側にマグネットＭがピンＰと平行に設けられる。また、放射線画像撮影装置１のコネクター３９には、例えば図８（Ｂ）に示すように、コネクター７１、Ｃの各ピンＰにそれぞれ当接し、端面が平面状の各ピン３９ｐが並設されている。また、各ピン３９ｐの両側には、コネクター７１、ＣのマグネットＭが磁着可能な金属板３９ｍがそれぞれ設けられる。
【００５５】
そして、コネクター７１、Ｃと放射線画像撮影装置１のコネクター３９とを接続する際には、コネクター７１、Ｃの各ピンＰが放射線画像撮影装置１のコネクター３９の各ピン３９ｐに当接することでコネクター同士が接続される。そして、例えば、さらにコネクター７１、ＣのマグネットＭが放射線画像撮影装置１のコネクター３９の金属板３９ｍに磁着する際に、コネクター７１、Ｃ側のピンＰがコネクター７１、Ｃ内部に若干押し込まれることで、ピンＰとピン３９ｐとの電気的接触がより確実なものとされるように構成される。
【００５６】
そして、図８（Ａ）に示した例では、コネクター７１、ＣのピンＰを、放射線画像撮影装置１のコネクター３９のピン３９ｐと同数設ける場合を示したが、例えば、クレードル６０とケーブルＣａとで、コネクター７１、Ｃに設けるピンＰの数を変えておく。そして、放射線画像撮影装置１の制御手段２２は、放射線画像撮影装置１のコネクター３９の各ピン３９ｐに当接するピンＰの数に基づいてコネクター３９に接続された他の機器が何であるかを判別して、自機の電源をオン状態とし、或いはオフ状態とするように制御するように構成することも可能である。
【００５７】
また、例えば、クレードル６０とケーブルＣａのコネクター７１、Ｃに設ける所定本数のピンＰの数のうち、例えば１本のピンＰを設けないように構成し、その１本のピンＰを設けない位置をクレードル６０とケーブルＣａとで変えておく。そして、放射線画像撮影装置１の制御手段２２は、放射線画像撮影装置１のコネクター３９の各ピン３９ｐのうちコネクター７１、Ｃの当接していないピン３９ｐの位置を判別することでコネクター３９に接続された他の機器が何であるかを判別して、自機の電源をオン状態とし、或いはオフ状態とするように制御するように構成することも可能である。
【００５８】
さらに、クレードル６０のコネクター７１とケーブルＣａのコネクターＣのいずれか一方の近傍に、例えば図８（Ａ）に示すように、ピンＰとは別の突起Ｐｒを設けておき、他方には突起Ｐｒを設けておかない。そして、放射線画像撮影装置１のコネクター３９の近傍の、上記の突起Ｐｒを挿入することができる位置に凹部Ｄを設けておく。そして、放射線画像撮影装置１の制御手段２２は、放射線画像撮影装置１のコネクター３９に他の機器のコネクター７１、Ｃが接続された際に、凹部Ｄに突起Ｐｒが挿入されたか否かに基づいてコネクター３９に接続された他の機器が何であるかを判別して、自機の電源をオン状態とし、或いはオフ状態とするように制御するように構成することも可能である。
【００５９】
このように、放射線画像撮影装置１のコネクター３９と他の機器のコネクター７１、Ｃとを接続する際に、それらの物理的な接続の仕方を変えることで、コネクター３９に接続された他の機器が何であるかを判別するように構成することも可能である。
【００６０】
［効果］
以上のように、本実施形態に係る電子機器（例えば放射線画像撮影装置１）によれば、他の機器と接続可能な接続端子（例えばコネクター３９）を備え、制御手段２２で、接続端子に接続された他の機器に応じて、自機の電源をオン状態とするかオフ状態とするかを決定して、電源のオン／オフを制御するように構成することで、接続端子に接続された他の機器に応じて適切にかつ自動的に自機の電源をオン状態としたりオフ状態としたりすることが可能となる。
【００６１】
そのため、ユーザーにとっては、自らが電子機器のオン／オフ操作を行わなくても、電子機器が自動的にかつ適切に行ってくれるため、電子機器の使い勝手がよいものとなる。そして、他の機器を接続した状態で電子機器を使用する場合には電子機器の電源が的確にオン状態となり、また、他の機器を接続した状態で電子機器を使用しない場合には、仮にユーザーが電子機器の電源をオフ状態にするのを忘れた場合でも、電子機器の電源が的確にオフ状態となる。そのため、、電子機器がユーザーにとって使い勝手がよいものとなるとともに、無駄な電力が消費されることを的確に防止することも可能となる。
【００６２】
［変形例１］
なお、上記の実施形態の場合、例えば、電子機器である放射線画像撮影装置１の制御手段２２は、他の機器がコネクター３９に接続された際、接続される直前の放射線画像撮影装置１の電源の状態（すなわちオン状態であるかオフ状態であるか）を記憶し、他の機器のコネクター３９への接続が解除されると、放射線画像撮影装置１の電源の状態を、他の機器が接続される直前の電源の状態に戻すように構成することが可能である。
【００６３】
すなわち、例えば、電源がオフ状態の放射線画像撮影装置１のコネクター３９にケーブルＣａを接続すると、上記のように放射線画像撮影装置１の電源は自動的にオン状態とされる。その際、放射線画像撮影装置１の制御手段２２は、ケーブルＣａが接続される直線の放射線画像撮影装置１の電源はオフ状態であったことを記憶する。そして、制御手段２２は、放射線画像撮影装置１のコネクター３９からケーブルＣａが外されたと判断すると、放射線画像撮影装置１の電源を元のオフ状態に戻す。
【００６４】
また、電源がオン状態の放射線画像撮影装置１にケーブルＣａが接続されると、電源はオン状態のままであり、ケーブルＣａが外されても電源はオン状態のままとなる。
【００６５】
このように構成すれば、上記のように、放射線画像撮影装置１等の電子機器にケーブルＣａ等の他の機器が接続されて電子機器の電源がオン状態になってもオフ状態になっても、他の機器が外されると電子機器の電源が元の状態に戻る。そのため、ユーザーは、電子機器の電源が、他の機器を接続する前の状態と同じ状態であると的確に認識することが可能となる。
【００６６】
一方、ユーザーが、電子機器の接続端子に他の機器を接続する前の電子機器の電源の状態を忘れてしまうような場合もあり得る。そのため、上記のように構成する代わりに、例えば、電子機器の接続端子から他の機器を外した際に、電子機器の電源を一律にオフ状態とする、或いは一律にオン状態とするように構成することも可能である。このように構成すれば、ユーザーは、電子機器から他の機器を外した際に、電子機器の電源が、決められた電源の状態になっていることを的確に認識することが可能となる。
【００６７】
［変形例２］
なお、上記の実施形態に係る電子機器である放射線画像撮影装置１の構成を改良して、例えば図９に示すように構成することも可能である。すなわち、この場合、例えば充電回路２５からバッテリー２４に供給される電力を検出する電力検出回路２６を設け、電力検出回路２６が検出した結果を制御手段２２に送るように構成する。
【００６８】
そして、制御手段２２は、電力検出回路２６の検出結果に基づいて充電回路２５からバッテリー２４に電力が適切に送られているか否かを監視してバッテリー２４の充電の状況を検出し、バッテリー２４の充電に異常が生じた場合には、自機の電源をオフ状態とするように構成することも可能である。このように構成することで、バッテリー２４や充電回路２５等に異常が発生してバッテリー２４の充電が適切に行われていない場合に、少なくとも自機の電源をオフ状態として、バッテリー２４から各機能部への電力の供給を適切に停止することが可能となり、バッテリー２４等の異常のために、放射線画像撮影装置１の他の機能部に異常が生じる等の問題が発生することを的確に防止することが可能となる。
【００６９】
なお、この場合、クレードル６０やケーブルＣａからの電力の供給を停止する等の対策が適宜とられる。また、この場合、例えば、制御手段２２は、放射線画像撮影装置１のインジケーター４０（図１や図９参照）を点滅させたり、所定の色で点灯させる等して、バッテリー２４の充電異常が発生したことを放射線技師等のユーザーに報知（すなわちいわゆるエラー報知）するように構成することも可能である。また、制御手段２２は、バッテリー２４の充電異常が発生したことをコンソール等の外部装置に通知して、外部装置からユーザーに報知するように構成することも可能である。
【００７０】
なお、本発明が上記の実施形態や変形例に限定されず、本発明の趣旨を逸脱しない限り、適宜変更可能であることは言うまでもない。
【００７１】
例えば、上記の実施形態や変形例では、放射線画像撮影装置１のバッテリー２４を充電する場合の放射線画像撮影装置１の電源のオン／オフ制御を例示して説明したが、本発明は、必ずしも電子機器のバッテリーの充電時の電源のオン／オフ制御に限定されない。
【００７２】
例えば、放射線画像撮影装置１にケーブルＣａが接続される際、放射線画像撮影装置１のバッテリー２４の充電は行わず、或いはそれと並行して、ケーブルＣａを介して放射線画像撮影装置１と外部装置との間で信号やデータ等のやり取りが行われる場合がある。そのため、放射線画像撮影装置１と外部装置との間の送受信等の観点から、放射線画像撮影装置１にケーブルＣａが接続された場合には、放射線画像撮影装置１の電源をオン状態とするように構成することも可能である。
【００７３】
また、図示を省略するが、例えば、病院等の施設に撮影室が複数設けられており、ユーザーである放射線技師等が放射線画像撮影装置１を撮影室に持ち込んだ際に、放射線画像撮影装置１をクレードル６０に装填して、当該撮影室内に設けられているアクセスポイントのＳＳＩＤ（Service Set Identifier）を当該放射線画像撮影装置１に登録するように構成される場合がある（例えば特開２０１２−１００８４３号公報等参照）。
【００７４】
そのような場合には、上記の実施形態とは逆に、放射線画像撮影装置１がクレードル６０に装填された場合には、放射線画像撮影装置１の制御手段２２は、放射線画像撮影装置１の電源をオン状態とするように構成することが可能である。
【００７５】
なお、以上の実施形態や変形例を実現するために、電子機器の制御手段２２が上記のような判別処理を行って電源がオフ状態の自機の電源をオン状態とすることができるようにするために、電子機器の電源がオフ状態であっても、制御手段２２に例えばバッテリー２４やサブ電源等から所定の電力を供給するように構成するなど、適宜構成されることは改めて説明するまでもない。
【００７６】
また、電子機器のバッテリー２４をいわば非接続の状態で充電（いわゆるワイヤレス充電）する場合には、電子機器の接続端末と他の機器（この場合は充電装置）とは接続されない。しかし、この場合も、例えば図９に示したように、外部の充電装置からワイヤレスで供給された電力が充電回路２５からバッテリー２４に供給されるのを例えば電力検出手段２６で検出し、充電回路２５からバッテリー２４に電力が供給されたことが検出された場合に、制御手段２２が電子機器の電源をオン状態とするかオフ状態とするかを決定するように構成することが可能である。
【００７７】
そして、この場合も、例えば、充電装置側に図８（Ａ）に示したように突起Ｐｒを設け、電子機器側に図８（Ｂ）に示した凹部Ｄを設けておき、充電装置に電子機器が接触した際に突起Ｐｒが凹部Ｄに挿入されるように構成することで、電子機器の制御手段２２が、電子機器に電力を供給している他の機器が何であるかを判別して、自機の電源をオン状態とし、或いはオフ状態とするように制御するように構成することが可能である。
【符号の説明】
【００７８】
１  放射線画像撮影装置（電子機器）
２２  制御手段
２４  バッテリー
３９  接続端子
６０  クレードル（他の機器）
Ｃａ  ケーブル（他の機器）
Ｔ  テーブル（対応関係の情報）
【図１】
2015167449.tif 000003
【図２】
2015167449.tif 000004
【図３】
2015167449.tif 000005
【図４】
2015167449.tif 000006
【図５】
2015167449.tif 000007
【図６】
2015167449.tif 000008
【図７】
2015167449.tif 000009
【図８】
2015167449.tif 000010
【図９】
2015167449.tif 000011